(57)【要約】      （修正有）【課題】防犯性及び利便性の高いしかも簡単な注文品配達システム装置を提供する。【解決手段】注文品配達システム装置Ｓ１は、要鍵の宅配ボックス１０６ＢＸと要開錠暗証番号の鍵入れボックス１０７ＢＸを備え、購入者からの注文品について、注文品名１０１、購入者の氏名１０２、連絡先、指定の宅配ボックスとその番号１０６、鍵入れボックスとその番号１０７、鍵入れボックスの開錠暗証番号１０８とを入力する注文品入力装置１００を備え、注文品入力装置からの入力内容を記憶する注文品配達記憶装置２００を備え、注文品配達記憶装置で記憶してある入力内容を記載した配達伝票を作成し購入者の連絡先に発送する配達伝票作成装置とを備えて成り、配達伝票作成装置は、購入者の連絡先を住所にして配達伝票を郵送発送するか、または携帯電話かＰＣ又はスマートホーンのＥ−ｍａｉｌアドレスにして配達伝票を電信発送する。【選択図】図１−１
0003235501.tif 000002
【実用新案登録請求の範囲】
【請求項１】
要鍵の宅配ボックスと要開錠暗証番号の鍵入れボックスを備え、購入者からの注文品について、注文品名、購入者の氏名、連絡先、指定の前記宅配ボックスとその番号、前記鍵入れボックスとその番号、前記鍵入れボックスの開錠暗証番号とを入力する注文品入力装置を備え、前記注文品入力装置からの前記入力内容を記憶する注文品配達記憶装置を備え、前記注文品配達記憶装置で記憶してある前記入力内容を記載した配達伝票を作成し前記購入者の連絡先に発送する配達伝票作成装置とを備えて成り、前記配達伝票作成装置は、購入者の連絡先を住所にして前記配達伝票を郵送発送するか、または携帯電話かＰＣ又はスマートホーンのＥ−ｍａｉｌアドレスにして前記配達伝票を電信発送することを特徴とする注文品配達システム装置。
【考案の詳細な説明】
【技術分野】
【０００１】  本考案は、注文品配達システム装置に関する。
【背景技術】
【０００２】  従来における注文品の集配システムとしては、特許文献１にて紹介の「通い箱、及び、それを用いた集配管理システム」や特許文献２にて紹介の「情報提示方法及びサーバ」がある。しかしながらこれらのシステムはいずれも問題がある。【０００３】
【先行技術文献】
【特許文献】
【０００４】
【特許文献１】特開２０１５−１４７６０７号公報「通い箱、及び、それを用いた集配管理システム」「特徴：図２に示す如く、通い箱１は、内部に商品を梱包して配送するためのものであって、断熱性の本体２と、本体内を冷却する蓄冷剤２４と、本体内の温度を計測する内部温度計測部と、蓄冷剤の温度を計測する蓄冷剤温度計測部と、通い箱の識別情報及び商品の配送に関する情報を記憶する電子タグ１２と、この電子タグに記憶された情報、及び、各温度計測部で計測された計測値を含む計測情報をインターネットを介してサーバ装置に送信する無線装置１３を備える。」
【特許文献２】特開２０１９１１４３０４号公報「情報提示方法及びサーバ」「特徴：図３に示す如く、インターネット上で商品を販売する電子商取引サイトに提示する情報を管理するＥＣサイト管理サーバ１は、電子商取引サイトを利用するユーザを識別するための識別情報を取得するユーザ情報取得部１１３と、取得された識別情報に対応付けられており、ユーザに関連する所定の場所に設けられた、電子商取引サイトで購入した商品を受け取るための宅配ボックス装置に関する情報を特定する宅配ボックスサイズ取得部１１６と、特定された宅配ボックス装置に関する情報を電子商取引サイト上でユーザに提示するＥＣサイト表示制御部１１１とを備える。」
【考案の概要】
【考案が解決しようとする課題】
【０００５】  即ち、各特許文献に紹介のシステムは、特徴とする技術内容が各特許文献名に併記に通り、いずれも専門性が高く且つ複雑なシステムであるため、一般人の特に高齢者の利用には不適格である。その理由としては高齢者が扱いにくいパーソナルコンピューターやスマートフォンアプリ等を使用してインターネットを介しての物品注文と購入をするためであると思料する。
しかも注文物品が要冷凍品や要冷蔵品の場合は、受け取り人が留守の際は一旦配送車に保留保管しておき、再配達が余儀なくされる。長期留守の場合は、配送センターなどの冷凍庫・冷蔵庫に戻し保管しなければならない。
最近はＰＣやスマホアプリを利用した冷凍冷蔵宅配ＢＯＸが支流になりつつ有るが現在ＰＣやスマホアプリを使用できない多くの高齢者等がこの宅配システムを利用が著しく困難である。【０００６】  そこで本考案は、例えば通常の購買方法での又はネットショッピング等での注文品を宅配の際、特に不在時の受取手段として配送業者は指定の宅配ボックスに注文品を保管して鍵をかけその鍵を鍵入れボックスに保管してその暗証番号を購入者に連絡すれば、購入者は、その暗証番号を利用して鍵入れボックスから宅配ボックスの鍵を取り出して、宅配ボックスの開閉を行い注文品を再送することなく安全確実に受領することができる防犯性及び利便性の高いしかも簡単な注文品配達システム装置を提供する。
【課題を解決するための手段】
【０００７】  本考案は前記課題を満足するものであり、その技術的特徴は次の（１）又は（２）の通りである。
＜ＰＣ又はスマートホーンを使える人用＞
（１）、要鍵の宅配ボックスと要開錠暗証番号の鍵入れボックスを備え、購入者からの注文品について、注文品名、購入者の氏名、連絡先、指定の前記宅配ボックスとその番号、前記鍵入れボックスとその番号、前記鍵入れボックスの開錠暗証番号とを入力する注文品入力装置を備え、前記注文品入力装置からの前記入力内容を記憶する注文品配達記憶装置を備え、前記注文品配達記憶装置で記憶してある前記入力内容を記載した配達伝票を作成し前記購入者の連絡先に発送する配達伝票作成装置とを備えて成り、前記配達伝票作成装置は、購入者の連絡先を住所にして前記配達伝票を郵送発送するか、または携帯電話かＰＣ又はスマートホーンのＥ−ｍａｉｌアドレスにして前記配達伝票を電信発送することを特徴とする注文品配達システム装置。
【考案の効果】
【０００８】  本考案の注文品配達システム装置は、例えば通常の購買方法で又はネツトショッピング等での購買品を宅配便で発送する際、不在時の受取手段として配送業者は、指定した冷凍・冷蔵・保温等の宅配ボックスに注文品を保管して鍵をかけその鍵を鍵入れボックスに保管して、その暗証番号を購入者にショートメール・Ｅメール・ｌｉｎｅで配達伝票を配信発送し、又は配達伝票を郵送発送して連絡をすれば、購入者は、高齢者であってもその暗証番号を利用して鍵入れボックスから指定の冷凍・冷蔵保温等の宅配ボックスの鍵即ちハードキーやカードキーを取り出して当該宅配ボックスのハードキー施錠やカードキー施錠を開閉して注文品を再送することなく簡単確実に且つ安全に受領することができる利便性の極めて高いしかも簡単なシステムである。しかも鍵入れボックスは暗証番号を一度使用後は自動的に変更可能にしてあるので防犯上も有利に流用できる。
【図面の簡単な説明】
【０００９】
【図１−１】本考案の実施例１を示すブロック説明図である。
【図１−２】本考案の実施例２を示すブロック説明図である。
【図２】特許文献１に記載の「通い箱、及び、それを用いた集配管理システム」のブロック線図。
【図３】特許文献２に記載の「情報提示方法及びサーバ」のシステムブロック線図。
【考案を実施するための形態】
【００１０】本考案を実施するための形態を図１−１〜図１−２に示す実施例１と実施例２により具体的に詳説する。
【実施例１】
【００１１】  図１−１に示す実施例１の注文品配達システム装置Ｓ１は、要鍵の冷凍・冷蔵・保温等の宅配ボックス１０６ＢＸ（以下単に宅配ボックス１０６ＢＸと称する。）と、要開錠暗証番号の鍵入れボックス１０８ＢＸ（以下単に鍵入れボックス１０８ＢＸと称する。）と、注文品入力装置１００と、注文品配達記憶装置２００と、注文品配達連絡装置４００とからなる。
宅配ボックス１０６ＢＸは、ハードキー施錠式又はカードキー施錠式である。
鍵入れボックス１０７ＢＸは、予め前記宅配ボックス１０６Ｂと併設する開錠用のハードキー又はカードキーを収容してあり、暗証番号で開錠するが、暗唱番号は一度開錠し、中のハードキー又はカードキーを取り出し宅配ボックス１０６Ｂの開錠に使用後に戻して閉めれば自動的に異なる暗唱番号に変更される。
注文品入力装置１００は、購入者からの注文物品名１０１と、この購入者の氏名１０２、連絡先（：住所１０３・電話番号１０４、指定の宅配ボックス１０６ＢＸの番号１０６、鍵入れボックス１０７ＢＸの番号１０７とその開錠暗証番号１０８と共に入力する。
注文品配達記憶装置２００は、前記注文品入力装置１００からの前記入力内容を全て記憶する。
注文品配達連絡装置４００は、前記注文品配達記憶装置２００で記憶してある注文品名１０１と、前記宅配ボックス１０６ＢＸの番号１０６、鍵入れボックス１０７ＢＸの番号１０７とその開錠暗証番号１０８を入力して、注文品配達連絡票４０１を作成し、前記連絡先：住所１０３の購入者宅に郵送する。
注文品配達連絡装置４００によって注文品配達連絡票４０１を受理した購入者は
直ちに番号１０７の当該鍵入れボックス１０７ＢＸを開錠暗証番号１０８で開錠して、番号１０６の当該宅配ボックス１０６ＢＸの鍵を取り出し、当該宅配ボックス１０６ＢＸを開錠しボックス内の注文品を再送することなく確実に受領することができる。
この後は宅配ボックス１０６ＢＸをハードキー又はカードキーで施錠し、ハードキー又はカードキーを鍵入れボックス１０７ＢＸ内に戻して施錠して一連の受け取作業を終える。
【実施例２】
【００１２】  図１−１に示す実施例１の注文品配達システム装置Ｓ１は、要鍵の冷凍・冷蔵・保温等の宅配ボックス１０６ＢＸ（以下単に宅配ボックス１０６ＢＸと称する。）と、要開錠暗証番号の鍵入れボックス１０８ＢＸ（以下単に鍵入れボックス１０８ＢＸと称する。）と、注文品入力装置１００と、注文品配達記憶装置２００と注文品配達連絡装置３００とからなる。
宅配ボックス１０６ＢＸは、ハードキー施錠式又はカードキー施錠式である。
鍵入れボックス１０７ＢＸは、予め前記宅配ボックス１０６Ｂの開錠用のハードキー又はカードキーを収容してあり、暗証番号で開錠するが、暗唱番号は一度開錠し、中のハードキー又はカードキーを取り出し宅配ボックス１０６Ｂの開錠に使用後に戻して閉めれば自動的に異なる暗唱番号に変更される。
注文品入力装置１００は、購入者からの注文物品名１０１と、購入者の氏名１０２、連絡先の住所１０３・電話番号１０４・ＰＣ又はスマートホーン５００のＥ−ｍａｉｌアドレス１０５、指定の宅配ボックス１０６ＢＸの番号１０６、鍵入れボックス１０７ＢＸの番号１０７とその開錠暗証番号１０８と共に入力する。
前記注文品配達記憶装置２００は、前記注文品入力装置１００からの前記入力内容を全て記憶する。
注文品配達連絡装置３００は、前記注文品配達記憶装置２００で記憶してある注文品名１０１と前記指定の宅配ボックス１０６ＢＸの番号１０６、前記鍵入れボックス１０７ＢＸの番号１０７とその開錠暗証番号１０８を入力して、注文品配達連絡票３０１を作成し購入者の前記連絡先である携帯電話番号１０４又はＰＣかスマートホーン５００のＥ−ｍａｉｌアドレス１０５に電送発送する。
注文品配達連絡装置３００によって注文品配達連絡票３０１を受理した購入者は直ちに番号１０８の当該鍵入れボックス１０７ＢＸを確認し、開錠暗証番号１０８で開錠して、当該番号１０６の宅配ボックス１０６ＢＸの鍵を取り出し、当該宅配ボックス１０６ＢＸを開錠してボックス内の注文品を再送することなく確実に受領することができる。この後は宅配ボックス１０６ＢＸをハードキー又はカードキーで施錠し、ハードキー又はカードキーを鍵入れボックス１０７ＢＸ内に戻して施錠して一連の受け取り作業を終える。
【産業上の利用可能性】
【００１３】  本考案は前述の優れた作用効果を呈するため、一般家庭は勿論、物品配達産業界に貢献する事、多大なものが有り産業上の利用可能性は充分である。
【符号の説明】
【００１４】１００：注文品入力装置                  １０７：鍵入れボックス番号
１０１：注文物品名                      １０８：開錠暗証番号
１０２：購入者の氏名                    ２００：注文品配達記憶装置
１０３：連絡先の住所                    ３００：注文品配達連絡装置
１０４：電話番号                        ３０１：注文品配達連絡票
１０５：ＰＣ又はスマートホーンのＥ−ｍａｉｌアドレス  ４００：注文品配達連絡装置１０６：宅配ボックスの番号              ４０１：注文品配達連絡票
１０６ＢＸ：宅配ボックス                １０７ＢＸ：鍵入れボックス
【図１−１】
0003235501.tif 000003
【図１−２】
0003235501.tif 000004
【図２】
0003235501.tif 000005
【図３】
0003235501.tif 000006